(57)【特許請求の範囲】
【請求項１】
液体石鹸組成物であって、該組成物が、
Ａ）組成物全体の重量に基づいて、１０重量％〜５０重量％の少なくとも１つのＣ８〜Ｃ２２脂肪酸塩；
Ｂ）アクリル酸および／またはメタクリル酸とＣ１〜Ｃ５アルキルアクリレートおよび／またはＣ１〜Ｃ５アルキルメタクリレートとから重合された少なくとも１つの架橋したアクリルエマルジョンポリマー；
Ｃ）酸性化剤；
を含み、
該液体石鹸組成物のｐＨが８．２〜９．２である、
液体石鹸組成物。
【請求項２】
請求項１に記載の液体石鹸組成物であって、さらに、
Ｄ）アニオン性界面活性剤、カチオン性界面活性剤、非イオン性界面活性剤、両性界面活性剤およびそれらの混合物より選択される任意の界面活性剤
を含む、液体石鹸組成物。
【請求項３】
前記脂肪酸塩が、Ｃ８〜Ｃ２２脂肪酸のアルカリ金属塩および／またはエタノールアミン塩より選択される、請求項１に記載の液体石鹸組成物。
【請求項４】
前記脂肪酸塩が、けん化された動物脂肪、けん化された野菜油およびそれらの混合物より誘導される、請求項３に記載の液体石鹸組成物。
【請求項５】
前記脂肪酸塩が、塩基で中和した脂肪酸より誘導される、請求項３に記載の液体石鹸組成物。
【請求項６】
前記酸性化剤が、有機酸、無機酸およびそれらの混合物より選択される、請求項１に記載の液体石鹸組成物。
【請求項７】
前記酸性化剤が、クエン酸、酢酸、α−ヒドロキシ酸、β−ヒドロキシ酸、サリチル酸、乳酸、グリコール酸、天然フルーツ酸、塩酸、硝酸、硫酸、スルファミン酸、リン酸およびそれらの組み合わせより選択される、請求項６に記載の液体石鹸組成物。
【請求項８】
前記液体石鹸組成物が、ｐＨ調整剤、防腐剤、粘性調整剤、皮膚調整剤、抗菌物質、抗酸化剤、香料、着色剤、キレート剤、湿潤剤、皮膚軟化剤、不溶性材料、パール光沢材料、希釈剤およびそれらの組み合わせのうちの１つ以上より選択される、任意の構成要素をさらに含む、請求項１に記載の液体石鹸組成物。
【請求項９】
前記組成物が、
Ａ）１０重量％〜５０重量％の少なくとも１つの脂肪酸塩;
Ｂ）０．１重量％〜１０重量％の架橋したアクリルエマルジョンポリマー；
Ｃ）０．１重量％〜２０重量％の酸性化剤；
Ｄ）界面活性剤であって、該脂肪酸塩：該界面活性剤の重量比が１：３９〜３９：１の範囲である、界面活性剤；
Ｅ）１重量％〜２０重量％の任意の湿潤剤；および
Ｆ）１重量％〜１５重量％の任意の皮膚軟化剤
を含む、請求項７に記載の液体石鹸組成物。
【請求項１０】
請求項１に記載の安定な液体石鹸組成物を作製する方法であって、該方法が、
Ａ）組成物全体の重量に基づいて、１０重量％〜５０重量％の少なくとも１つのＣ８〜Ｃ２２脂肪酸塩を含む、脂肪酸石鹸組成物を提供する工程；
Ｂ）上記Ａ）の工程で得られた脂肪酸石鹸組成物に、適切な塩基を加えることで、脂肪酸石鹸のｐＨを必要に応じて上げる工程；
Ｃ）上記Ａ）または上記Ｂ）の工程により得られた脂肪酸石鹸組成物を、アクリル酸および／またはメタクリル酸とＣ１〜Ｃ５アルキルアクリレートおよび／またはＣ１〜Ｃ５アルキルメタクリレートとから重合された架橋したアクリルエマルジョンポリマーと混合する工程；および
Ｄ）酸性化剤を加えることによって、上記Ｃ）の工程により得られた組成物のｐＨを０．５〜５ｐＨ単位下に下げて、８．２〜９．２の最終ｐＨを有する液体石鹸組成物を得る工程、
を含む、方法。
【請求項１１】
前記酸性化剤が、有機酸、無機酸およびそれらの混合物より選択される、請求項１０に記載の方法。
【請求項１２】
前記酸性化剤が、クエン酸、酢酸、α−ヒドロキシ酸、β−ヒドロキシ酸、サリチル酸、乳酸、グリコール酸、天然フルーツ酸、塩酸、硝酸、硫酸、スルファミン酸、リン酸およびそれらの組み合わせより選択される、請求項１０に記載の方法。
【発明の詳細な説明】
【技術分野】
【０００１】
（発明の分野）
本発明は、液体皮膚洗浄組成物に関する。より具体的には、本発明は、脂肪酸石鹸、アクリレートを基盤とするコポリマーおよび酸性化剤（ａｃｉｄｉｆｙｉｎｇ  ａｇｅｎｔ）を含む相安定な液体皮膚洗浄組成物に関する。
【背景技術】
【０００２】
（背景）
脂肪酸液体石鹸組成物は当該分野で公知である。この石鹸は、有効かつ一般的なすべての目的における身体洗浄剤として長年にわたり幅広く使用されてきた。脂肪酸液体石鹸は、所望の洗浄効果および必須の物理的性能パラメーターを得るために種々の異なる成分によって調合され、その結果、この石鹸は従来の様式で簡単に貯蔵され得、および分配され得る。脂肪酸液体石鹸は、製品コンテナーから分配されるときに流動可能であるが、身体に適用されるときに皮膚から流れ出ない十分な粘性であるという適切なレオロジー特性を有しなければならない。さらに、今日の消費者は、従来の液体石鹸製品により成し遂げられた基礎洗浄効果を超えるさらなる利益をますます求めている。調合物に種々の付加物（例えば、保湿剤（ｍｏｉｓｔｕｒｉｚｅｒ）、皮膚軟化剤、着色剤、乳白剤、香料、抗酸化剤、抗菌物質およびいくつか示される同類のもの）を組み入れることによって製品の機能および審美性を改善する努力が絶えずなされている。また、皮膚への活性物の送達および製品の審美性のために、水に不溶性の部分（例えば、マイクロカプセル、ビーズおよびパール光沢剤（ｐｅａｒｌｅｓｃｅｎｔ  ａｇｅｎｔ））を液体石鹸組成物中に組み入れることもますます一般的になっている。
【０００３】
所望のレオロジー特性を達成するために、および種々の異なる成分を石鹸組成物中に分散させるために、レオロジー改変性合成ポリマーおよび合成界面活性剤が、ある期間中および幅広い範囲の温度で粘性および視覚上の相均一性に関して安定である組成物を得るための試みに使用されてきた。これらのパラメーターは特に液体組成物に重要であり、ここで調合物中の大量の水は、特にこの調合物中に実質的に水に不溶性の付加物が分散されている場合、安定な組成物の作成をより困難にさせる。
【０００４】
特許文献１（公開日２００４年７月２２日）は、（Ａ）脂肪酸塩；（Ｂ）硫酸エステル界面活性剤；および（Ｃ）メタクリル酸、アクリル酸、マレイン酸およびアルキルメタクリレート、アルキルアクリレートより選択される少なくとも１つのモノマーの重合より得られるコポリマーを含む洗浄組成物を開示する。
【０００５】
特許文献２（公開日１９９９年７月１３日）は、（Ａ）脂肪酸塩；（Ｂ）多価アルコール；および（Ｃ）アルキルアクリレートコポリマーを含む洗浄剤に関する。
【０００６】
これらの組成物は代表的に周囲温度で安定であるが、このタイプの石鹸調合物の構造は、約４０〜５０℃の昇温にさらされる場合、崩壊する傾向がある。したがって、これらの製品を世界の温暖地域および熱帯地域において輸送および貯蔵するときに注意されなければならない。
【０００７】
脂肪酸石鹸の代わりに合成界面活性剤を使用することは、水に不溶な付加物を懸濁し得る貯蔵に安定な組成物を達成するのに提案されてきた。特許文献３は、アニオン性界面活性剤およびキレート剤、ビタミンマイクロカプセルおよびこのマイクロカプセルの均一な懸濁のための架橋したアルカリ膨張可能な（ａｌｋａｌｉ−ｓｗｅｌｌａｂｌｅ）アクリルエマルジョンポリマーより調合される洗浄ベースを含む液体石鹸組成物を開示する。しかし、合成界面活性剤は脂肪酸石鹸よりも高価であり、そして合成界面活性剤は目および皮膚を刺激し得る。さらに、皮膚に適用される場合、界面活性剤は水分を吸収し、膨張し、および皮膚にあざけるようなまたはねばねばした感触を残す傾向を有する。
【特許文献１】特開２００４−２０４１５３号公報
【特許文献２】特開平１１−１８９７８５号公報
【特許文献３】米国特許第６，８４６，７８５号明細書
【発明の開示】
【発明が解決しようとする課題】
【０００８】
したがって、従来の液体石鹸の穏やかさおよび感覚特質よりも優れた穏やかさおよび感覚特質を有しながら、幅広い範囲の温度において良好なレオロジー特性、構造、および視覚上の審美性を維持する脂肪酸ベースの液体石鹸組成物の必要性がある。
【発明を実施するための最良の形態】
【０００９】
（例示的な実施形態の説明）
本発明の一般的な実施形態に従って、液体洗浄石鹸は脂肪酸塩石鹸ベース、架橋したアルカリ膨張可能なアクリルエマルジョンポリマーおよび酸性化剤を含む。組成物は、架橋したアルカリ膨張可能なアクリルエマルジョンポリマーによって粘性および相一体性に関して安定化され、ならびに酸性化剤によって、後に酸戻し処理され（ｂａｃｋ−ａｃｉｄ  ｔｒｅａｔｅｄ）、幅広い範囲の温度において貯蔵安定および相安定な組成物を達成する。
【００１０】
本発明の１つの例示的な実施形態において、上記液体石鹸組成物は以下を含む：
（ａ）約１重量％〜約５０重量％の脂肪酸塩；
（ｂ）約０．１重量％〜約１０重量％の架橋したアクリルエマルジョンポリマー；
（ｃ）約０．１重量％〜約２０重量％の酸性化剤；
（ｄ）任意の界面活性剤であって、脂肪酸塩：界面活性剤の重量比が約１：３９〜約３９：１に及ぶ界面活性剤；
（ｅ）約１重量％〜約２０重量％の任意の湿潤剤；
（ｆ）約１重量％〜約１５重量％の任意の皮膚軟化剤；および
（ｇ）残りの水。
【００１１】
前述の成分に加えて、上記組成物は、液体石鹸において従来的に使用される他の任意の付加物を含み得る。これらとしては、例えば１つ以上の防腐剤、１つ以上の粘性調整剤、１つ以上の皮膚調整剤、抗菌物質、１つ以上の抗酸化剤、１つ以上の香料、１つ以上の着色剤、１つ以上のキレート剤（錯化剤）ならびに１つ以上の不溶性材料が挙げられる。これらの任意の材料は以下により詳細に記載される。
【００１２】
前述の成分の選択および量は、本発明の所望される液体石鹸最終製品に依存する。例えば、ハンドソープ、身体洗浄液、および洗顔料は異なる成分ならびに異なる量の同じ成分を含み得る。本発明の調合組成物における成分の選択および量は、製品およびその製品の機能に依存して変化し、このことは調合分野の当業者に周知である。液体石鹸組成物を作製する種々の成分の重量範囲のオーバーラップは、本発明の種々の実施形態のために示されるが、上記組成物中のそれぞれの構成要素の特定の量は開示される範囲より選択され、その結果、それぞれの構成要素の所望の量は、上記液体石鹸組成物中のすべての構成要素の合計が全体で１００重量％になるように調整される、ということは容易に明確であるべきである。
【００１３】
（脂肪酸石鹸）
本発明の１つの局面において、上記液体石鹸組成物は、約８〜約２２個の炭素原子を含む脂肪酸石鹸を少なくとも１つ含む。本発明の他の局面において、上記液体石鹸組成物は約１２〜約１８個の炭素原子を含む脂肪酸石鹸を少なくとも１つ含む。上記石鹸に利用される脂肪酸は、飽和および不飽和であり得、ならびに合成供給源ならびに脂肪および天然油の加水分解より得られ得る。例示的な飽和脂肪酸としては、以下に限定されないが、オクタン酸、デカン酸、ラウリン酸、ミリスチン酸、ペンタデカン酸、パルミチン酸、マルガリン酸、ステアリン酸、イソステアリン酸、ノナデカン酸、アラキジン酸、ベヘン酸など、およびこれらの混合物が挙げられる。例示的な不飽和脂肪酸としては、以下に限定されないが、ミリストレイン酸、パルミトレイン酸、オレイン酸、リノール酸、リノレン酸など、およびこれらの混合物が挙げられる。上記脂肪酸は、動物脂肪（例えば、獣脂）または野菜油（例えば、ココナッツ油、赤油、パーム核油、パーム油、綿実油、オリーブ油、大豆油、ピーナッツ油、コーン油およびこれらの混合物）から得られ得る。
【００１４】
上記石鹸は、種々の周知の手段（例えば、脂肪酸もしくはその混合物の直接的中和、または適切な塩基による適切な脂肪および天然油またはそれらの混合物のけん化）によって調製され得る。例示的な塩基としては、水酸化カリウム、炭酸カリウム、水酸化ナトリウムおよびトリエタノールアミンが挙げられる。一般的に、上記脂肪酸または油は液化するまで加熱され、そして水性塩基の水溶液がそこに加えられる。このシステムのｐＨは、適切な手段（例えば脂肪酸または塩基の追加）で調整され、１つの局面においては、約８．５〜約１４．０の範囲内にし、本発明の他の局面においては、約９．０〜約１２．０の範囲内にし、本発明のさらに他の局面においては、約９．５〜約１１．０の範囲内にする。ｐＨ範囲の上限は、使用者の皮膚に対して穏やかさを確実にするように作成され、そして下限は脂肪酸の中和またはけん化を確実にするように与えられる。
【００１５】
液体石鹸組成物に使用される脂肪酸石鹸の量は、１つの局面において、全組成物の約１重量％〜約５０重量％に及び、ならびに本発明の他の局面において、約１０重量％〜約３５重量％に及ぶ。
【００１６】
本発明の１つの局面において、上記脂肪酸石鹸はアルカリ金属脂肪酸石鹸である。本発明の他の局面において、上記脂肪酸石鹸は脂肪酸のカリウム塩である。
【００１７】
（架橋したアクリルエマルジョンポリマー）
本発明のアクリルエマルジョンポリマーは、３つの重合可能なモノマー構成要素を含むモノマー混合物から重合される。第１のモノマー構成要素は、約３〜約１０個の炭素原子を全体で有する１つ以上の不飽和カルボン酸含有モノマーおよびその塩から選択される。このようなモノマーの例としては、以下に限定されないが、アクリル酸、メタクリル酸、イタコン酸、フマル酸、クロトン酸、マレイン酸またはアコニット酸が挙げられる。さらに、ポリ酸（例えば、マレイン酸、フマル酸、イタコン酸またはアコニット酸など）のＣ１〜Ｃ４アルカノール半エステル（ｈａｌｆ  ｅｓｔｅｒ）も、特にこの半エステルがアクリル酸またはメタクリル酸と組み合わせて少量使用されるときに、使用され得る。前述のモノマーの塩（例えば、ナトリウム塩およびカリウム塩）が使用され得る。
【００１８】
このようなカルボン酸モノマーの量は、このモノマーの全重量を基準として、１つの局面において、一般的に約２０重量％〜８０重量％であり、他の局面において、約２５重量％〜約７０重量％であり、さらなる局面において、約３５重量％〜約６５重量％である。
【００１９】
第２のモノマー構成要素は、以下の式に示される１つ以上のビニルモノマーから選択される：
１）ＣＨ２＝ＣＸＹ、
（式中、ＸはＨであり、そしてＹは−Ｃ（Ｏ）ＯＲ、−Ｃ６Ｈ４Ｒ’、−ＣＮ、−Ｃ（Ｏ）ＮＨ２、−Ｃｌ、−ＮＣ４Ｈ６Ｏ、−ＮＨ（ＣＨ２）３Ｃ（Ｏ）ＯＨ、−ＮＨＣ（Ｏ）ＣＨ３、−Ｃ（Ｏ）ＮＨＣ（ＣＨ３）３、−Ｃ（Ｏ）Ｎ（ＣＨ３）２であり、
または、ＸはＣＨ３であり、そしてＹは−Ｃ（Ｏ）ＯＲ、−Ｃ６Ｈ４Ｒ’、−ＣＮまたは−ＣＨ＝ＣＨ２であり；
または、ＸはＣｌであり、そしてＹはＣｌであり、そして
ＲはＣ１−Ｃ１８アルキルまたはヒドロキシＣ２−Ｃ１８アルキルであり、
Ｒ’はＨまたはＣ１−Ｃ１８アルキルである）；
２）ＣＨ２＝ＣＨＯＣ（Ｏ）Ｒ１、
（式中、Ｒ１はＣ１−Ｃ１８アルキルである）；または
３）ＣＨ２＝ＣＨ２またはＣＨ２＝ＣＨＣＨ３。
【００２０】
このようなビニルモノマーまたはモノマーの混合物の代表としては、種々のアクリレートエステルまたはヒドロキシアクリレートエステルであり、このエステル部分は１〜１０個の炭素原子を有し、例えばメチルアクリレート、エチルアクリレート、ｎ−ブチルアクリレート、２−エチルヘキシルアクリレート、２−ヒドロキシエチルアクリレート、または種々のビニルアセテート、またはスチレン、または塩化ビニル、または塩化ビニリデン、またはアクリロニトリル、アクリルアミド、Ｎ，Ｎ−ジメチルアクリルアミド、ｔ−ブチル−アクリルアミド、およびこれらのメタクリレート類似物が挙げられる。
【００２１】
このような酸ではないビニルモノマーの量は、このモノマーの全重量を基準として、１つの局面において、一般的に約８０重量％〜約１５重量％であり、他の局面において、約７５重量％〜約２５重量％であり、さらなる局面において、約６５重量％〜約３５重量％である。
【００２２】
上記架橋したアクリルエマルジョンポリマーを形成する第３のモノマー構成要素は、１つ以上のポリ不飽和架橋モノマーである。重合が起こる前、間または後に形成したコポリマーが架橋されることを引き起こし得る反応基を有するモノマー性不飽和化合物もまた使用され得る。
【００２３】
上記ポリ不飽和化合物は、部分的に架橋した三次元ポリマー性網目構造か実質的に架橋した三次元ポリマー性網目構造のいずれかを生成するのに利用される。ポリ不飽和とは、架橋モノマーが少なくとも２つの重合可能な二重結合を含み、この二重結合が前述の不飽和カルボン酸含有モノマーおよびビニルモノマーと反応性があることを意味する。このようなポリ不飽和化合物の例は、スクロースまたはポリアルコールのポリアルケニレンエーテル；ジアリルフタレート、ジビニルベンゼン、アリル（メタ）アクリレート、エチレングリコールジ（メタ）アクリレート、メチレンビスアクリルアミド、トリメチロールプロパントリアクリレート、トリメチロールプロパントリメタクリレート、ジアリルイタコネート、ジアリルフマレート、ジアリルマレアート、亜鉛（メタ）アクリレート、ヒマシ油誘導体またはエチレン性（ｅｔｈｙｌｅｎｉｃａｌｌｙ）不飽和カルボン酸などから作製されたポリオール誘導体、グリシジルメタクリレート、Ｎ−メチロールアシルアミドまたはＮ−アルコキシメチルアクリルアミド、Ｃ１−Ｃ１８のアルコールを有するアルコキシ；ヒドロキシ（メタ）アクリレートで末端修飾された（ｅｎｄ−ｃａｐｐｅｄ）カプロラクトン、あるいは（メタ）アクリレートで末端修飾されたカプロラクトンが挙げられる。
【００２４】
不飽和誘導体を作製する当業者のための、反応スキームはまた本発明の範囲内にあり、ここでこの反応スキームとしては、例えば、エチレンオキサイドまたはプロピレンオキサイドまたはこれらの組み合わせから作製されるポリオールと、不飽和酸（例えば、アクリル酸、メタクリル酸）とのエステル化反応、または不飽和無水物（例えば、無水マレイン酸、無水シトラコン酸、無水イタコン酸）とのエステル化反応、または不飽和イソシアネート（例えば、３−イソプロペニル−α−α−ジメチルベンゼンイソシアネート（ＴＭＩ））との付加反応が挙げられる。
【００２５】
本明細書中で使用される場合、用語「（メタ）アクリル酸（（ｍｅｔｈ）ａｃｒｙｌｉｃ  ａｃｉｄ）」および「（メタ）アクリレート（（ｍｅｔｈ）ａｃｒｙｌａｔｅ）」は、対応するアクリル酸および対応するアルキルアクリレートのメチル誘導体を含むことを意味する。例えば、「（メタ）アクリル酸」は、アクリル酸および／またはメタクリル酸を示し、「（メタ）アクリレート」は、アルキルアクリレートおよび／またはアルキルメタクリレートを示す。
【００２６】
第３の構成要素は、モノマー構成要素すべての全重量を基準として、１つの局面において、約０．０１重量％〜約５重量％の量で使用され得、他の局面において、約０．０３重量％〜約３重量％の量で使用され得、さらなる局面において、約０．０５重量％〜約１重量％の量で使用され得る。
【００２７】
さらに、架橋したコポリマーアクリルエマルジョンは、結合性モノマー（ａｓｓｏｃｉａｔｉｖｅ  ｍｏｎｏｍｅｒ）（すなわち、共重合可能な界面活性剤）から導かれる任意の部分をほぼ含まない。ほぼ含まないとは、１つの局面において約１重量％より少なく、他の局面において約０．５重量％より少なく、本発明のさらなる局面において約０．２重量％より少なく含まれるとして定義される。
【００２８】
本発明の架橋したアクリルエマルジョンポリマーは一般的に、乳化重合技術によって調製され得る。この乳化重合は一般的に、約２．５〜約５．０のｐＨで、少なくとも３つの必須の上記に記載のエチレン性不飽和構成要素を用いて実施される。これらのモノマーは、従来の界面活性剤の非特異的な疎水性結合と類似の、非特異的な疎水性結合をし得る共重合可能な界面活性剤である結合性モノマーではない。
【００２９】
本発明の架橋したアクリルエマルジョンポリマーは、任意の従来の様式、例えば米国特許第４，１３８，３８０号または同第４，１１０，２９１号（これらの全体を参考として援用する）に記載の様式により作製され得る。一般的に、上記に記載のカルボン酸モノマー、ビニルモノマー、およびポリ不飽和モノマーのうち１つ以上のモノマーが水を備える反応容器に加えられる。適切な量の従来のまたは代表的な乳化重合界面活性剤（例えば、ナトリウムラウリルスルフェート）ならびにエマルジョン型開始剤（例えば、ナトリウムパースルフェート、またはカリウムパースルフェート）、酸化還元開始剤などが加えられる。この反応容器はまた、連鎖移動剤を含み得る。温度は次に約６０℃から約１００℃に上げられ、そして重合が開始する。必要に応じて、反応の間に追加のモノマーは、ある期間をかけて添加される。このモノマーの添加が完了すると、重合は一般的に追加の開始剤を添加することで完了に達することが可能となる。架橋したアルカリ膨張可能なアクリルエマルジョンポリマーは、同時係属中の２００５年３月１７日に出願された米国特許出願第１１／０８３，２４３号に開示され、これを本明細書中で参考として援用する。
【００３０】
１つの実施形態において、本発明の液体石鹸組成物での使用に適切な架橋したアクリルエマルジョンコポリマーは、Ｎｏｖｅｏｎ，Ｉｎｃ．，Ｃｌｅｖｅｌａｎｄ，Ｏｈｉｏより市販されており、商品名Ｃａｒｂｏｐｏｌ（登録商標）Ａｑｕａ  ＳＦ−１で販売されている。Ｃａｒｂｏｐｏｌ  Ａｑｕａ  ＳＦ−１ポリマーは、約３０重量％のポリマー固形物を含むアルカリ膨張可能なアクリルエマルジョンポリマー組成物である。このポリマーは、アクリル酸および／またはメタクリル酸より選択されたｐＨに敏感な第１のモノマーの少なくとも１つ、およびアクリル酸またはメタクリル酸のＣ１〜Ｃ５アルキルエステルより選択された第２のモノマーの少なくとも１つ、より作製された分枝して少し架橋したコポリマーである。
【００３１】
酸性ｐＨでは、ポリマーバックボーン上のカルボキシル官能基はプロトン化状態にあり、そしてこのポリマーは任意の粘性を構築する特性を示さない。しかし、このポリマーを、約８．５〜約１４．０の範囲のｐＨ特性を有するアルカリ性石鹸組成物に加えることによりこのポリマーを中和した後は、上記ポリマーバックボーン上のカルボキシル基はイオン化し、このポリマーの膨張および粘性の増加を引き起こす。
【００３２】
液体石鹸組成物中に使用される架橋したアクリルエマルジョンコポリマーの量は、組成物の全重量を基準として、１つの局面において、一般的に全組成物の約０．１重量％〜約１０重量％に及び、他の局面において、約０．１５重量％〜約５重量％に及び、さらなる局面において、活性（正味の）ポリマーの約０．３重量％〜約４重量％に及ぶ。
【００３３】
（酸性化剤）
驚くべきことに、液体石鹸組成物のｐＨが、架橋したアルカリ膨張可能なアクリルエマルジョンコポリマーレオロジー改変剤の添加の後に下げられる場合、組成物の粘度および降伏値は一般的に変化しないか、しばしば実際に増加する、ということがわかった。この調合技術は「酸戻し（ｂａｃｋ−ａｃｉｄ）」シックニングとして言及される。この酸戻しシックニング技術は、実際に組成物のｐＨを下げることによって、アルカリｐＨ範囲で調合された組成物の粘度および安定性をさらに増加するのに使用され得る。
【００３４】
本発明の１つの局面において、最終的な標的ｐＨ（酸戻し調合の後）は、システムの初期ｐＨより少なくとも約０．５〜７ｐＨ単位以下であるべきである。他の局面において、この標的ｐＨは、初期ｐＨより少なくとも約０．７５〜５ｐＨ単位下であり、そしてさらなる他の局面において、この標的ｐＨは、石鹸組成物の初期ｐＨより少なくとも約１〜４ｐＨ単位下である。
【００３５】
酸性化剤は組成物のｐＨを下げるために添加される。上記酸性化剤は有機酸（例えば、クエン酸、酢酸、α−ヒドロキシ酸、β−ヒドロキシ酸、サリチル酸、乳酸、グリコール酸、天然フルーツ酸、またはこれらの組み合わせ）であり得る。さらに、無機酸（例えば、塩酸、硝酸、硫酸、スルファミン酸、リン酸、およびこれらの組み合わせ）が組成物のｐＨ値を下げるために利用され得る。このような酸の量は、安定化された組成物の全重量を基準として、ある局面において、一般的に約０．１重量％〜約２０重量％であり、他の局面において、約０．２重量％〜１５重量％であり、さらなる局面において、約０．２５重量％〜約１０重量％である。
【００３６】
本発明の組成物を安定化するのに所望のｐＨは、所望される比粘度および穏やかさ（ｍｉｌｄｎｅｓｓ）のパラメーターに明らかに依存する。本発明の１つの実施形態において、上記液体石鹸組成物は、約７．８〜約９．８の所望される最終ｐＨ範囲を有する。他の実施形態において、上記液体石鹸組成物の最終ｐＨ範囲は、約８．０〜約９．５の範囲であり得、そしてさらなる実施形態において、上記ｐＨは約８．２〜約９．２の範囲であり得る。
【００３７】
（界面活性剤）
本発明の脂肪酸石鹸組成物は、アニオン性、両性、両性イオン性、非イオン性およびこれらの組み合わせから選択される任意の界面活性剤を含み得る。
【００３８】
上記アニオン性界面活性剤は、水性界面活性組成物の当該分野で公知のまたは以前より使用されるアニオン性界面活性剤のうち任意のものであり得る。適切なアニオン性界面活性剤としては、以下に限定されないが、アルキルスルフェート、アルキルエーテルスルフェート、アルカリールスルホネート、アルキルスクシネート、アルキルスルホスクシネート、Ｎ−アルコイルサルコシネート（ａｌｋｏｙｌ  ｓａｒｃｏｓｉｎａｔｅ）、アルキルホスフェート、アルキルエーテルホスフェート、アルキルエーテルカルボキシレート、アルキルアミノ酸、アルキルペプチド、アルコイルタウレート、カルボン酸、アシルグルタメートおよびアルキルグルタメート、アルキルイセチオネート（ｉｓｅｔｈｉｏｎａｔｅ）、およびα−オレフィンスルホネート、特にこれらのナトリウム塩、カリウム塩、マグネシウム塩、アンモニウム塩およびモノエタノールアミン塩、ジエタノールアミン塩、およびトリエタノールアミン塩が挙げられる。上記アルキル基は一般的に８〜１８個の炭素原子を含み、ならびに不飽和であり得る。上記アルキルエーテルスルフェート、アルキルエーテルホフェートおよびアルキルエーテルカルボキシレートは、１分子に対して１〜１０個のエチレンオキシドまたはプロピレンオキシド単位を含み得、ならびに好ましくは１分子に対して１〜３個のエチレンオキシド単位を含む。
【００３９】
適切なアニオン性界面活性剤の例としては、ナトリウムラウリルエーテルスルフェートおよびアンモニウムラウリルエーテルスルフェート（１、２および３モルのエチレンオキシドを含む）、ナトリウムラウリルスルフェート、アンモニウムラウリルスルフェートおよびトリエタノールアミンラウリルスルフェート、ジナトリウムラウレス（ｌａｕｒｅｔｈ）スルホスクシネート、ナトリウムココイル（ｃｏｃｏｙｌ）イセチオネート、ナトリウムＣ１２−１４オレフィンスルホネート、ナトリウムラウレス−６カルボキシレート、ナトリウムＣ１２−１５パレススルフェート、ナトリウムメチルココイルタウレート、ナトリウムドデシルベンゼンスルホネート、ナトリウムココイルサルコシネート、およびトリエタノールアミンモノラウリルホスフェート、が挙げられる。
【００４０】
両性界面活性剤および両性イオン性界面活性剤は、酸か塩基かのどちらかとしてふるまう能力を有する化合物である。これらの界面活性剤は、水性界面活性組成物の当該分野において公知のまたは以前より使用されている界面活性剤のうち任意のものであり得る。適切な材料としては、以下に限定されないが、アルキルベタイン、アルキルアミドプロピルベタイン、アルキルスルホベタイン、アルキルグリシネート、アルキルカルボキシグリシネート、アルキルアンフォプロピオネート（ａｍｐｈｏｐｒｏｐｉｏｎａｔｅ）、アルキルアミドプロピルヒドロキシスルタイン（ｈｙｄｒｏｘｙｓｕｌｔａｉｎｅ）、アシルタウレートおよびアシルグルタメートが挙げられ、ここで上記アルキル基およびアシル基は８〜１８個の炭素原子を有する。例としては、コカミドプロピル（ｃｏｃａｍｉｄｏｐｒｏｐｙｌ）ベタイン、ナトリウムココアンフォアセテート（ｃｏｃｏａｍｐｈｏａｃｅｔａｔｅ）、コカミドプロピルヒドロキシスルタインおよびナトリウムコカンフォプロピオネート（ｃｏｃａｍｐｈｏｐｒｏｐｉｏｎａｔｅ）が挙げられる。
【００４１】
非イオン性界面活性剤は、水性界面活性組成物の当該分野において公知のまたは以前より使用されている非イオン性界面活性剤のうち任意のものであり得る。適切な非イオン性界面活性剤としては、以下に限定されないが、脂肪族（Ｃ６〜Ｃ１８）第一級または第二級の鎖状もしくは分枝鎖の酸、アルコールもしくはフェノール、アルキルエトキシレート、アルキルフェノールアルコキシレート（特にエトキシレートおよびエトキシ／フロポキシの混合物）、アルキルフェノールのブロックアルキレンオキシド縮合物、アルカノールのアルキレンオキシド縮合物、エチレンオキシド／プロピレンオキシドブロックコポリマー、半極性の非イオン性物（例えば、アミンオキシドおよびホスフィンオキシド）ならびにアルキルアミンオキシド、が挙げられる。他の適切な非イオン性物としては、モノアルキルアルカノールアミドまたはジアルキルアルカノールアミド、およびアルキルポリサッカリド、ソルビタン脂肪酸エステル、ポリオキシエチレンソルビタン脂肪酸エステル、ポリオキシエチレンソルビトールエステル、ポリオキシエチレン酸およびポリオキシエチレンアルコールが挙げられる。適切な非イオン性界面活性剤の例としては、ココモノエタノールアミドまたはココジエタノールアミド、ココジグルコシド、アルキルポリグルコシド、コカミドプロピルオキシドおよびラウラミン（lａｕｒａｍｉｎｅ）オキシド、ポリソルベート２０、エトキシ化鎖状アルコール、セテアリール（ｃｅｔｅａｒｙｌ）アルコール、ラノリンアルコール、ステアリン酸、グリセリルステアレート、ＰＥＧ−１００ステアレート、およびオレス（ｏｌｅｔｈ）２０、が挙げられる。
【００４２】
本発明において使用され得る他の界面活性剤は、ＷＯ  ９９／２１５３０、米国特許第３，９２９，６７８号、同第４，５６５，６４７号、同第５，７２０，９６４号および同第５，８５８，９４８号により詳細に記載される。他の適切な界面活性剤は、ＭｃＣｕｔｃｈｅｏｎ’ｓ  Ｅｍｕｌｓｉｆｉｅｒｓ  ａｎｄ  Ｄｅｔｅｒｇｅｎｔｓ  （Ｎｏｒｔｈ  Ａｍｅｒｉｃａｎ  ａｎｄ  Ｉｎｔｅｒｎａｔｉｏｎａｌ  Ｅｄｉｔｉｏｎｓ，  ｂｙ  Ｓｃｈｗａｒｔｚ，  Ｐｅｒｒｙ  ａｎｄ  Ｂｅｒｃｈ）に記載され、本明細書においてこの全体を参考として援用する。
【００４３】
本発明の１つの実施形態において、界面活性剤が存在する場合、その界面活性剤の量は、幅広く変化し得る。しばしば利用される量は、一般的に、組成物の全重量を基準として、１つの局面において約１重量％〜約８０重量％の範囲であり、他の局面において約５重量％〜約６５重量％の範囲であり、さらに他の局面において約６重量％〜約３０重量％の範囲であり、本発明のさらなる局面において約８重量％〜約２０重量％の範囲である。
【００４４】
他の実施形態において、組成物において利用される界面活性剤の量は、液体洗浄組成物中に存在する脂肪酸石鹸の量を基準とし得、ならびに界面活性剤に対する脂肪酸石鹸の比率として表現され得る。本発明の１つの局面において、脂肪酸石鹸：界面活性剤の比は、約３９：１〜約１：３９（ｗｔ．／ｗｔ．）の範囲であり、他の局面において、石鹸：界面活性剤の比は約１０：１〜約１：１０の範囲であり、そしてさらなる局面において、石鹸：界面活性剤の比は約５：１〜約１：５の範囲である。
【００４５】
（湿潤剤）
本発明の脂肪酸液体石鹸組成物は、必要に応じて少なくとも１つの湿潤剤を含む。適切な湿潤剤としては、アラントイン；ピロリドンカルボン酸およびその塩、ヒアルロン酸およびその塩、ソルビン酸およびその塩、尿素、リシン、アルギニン、シトシン、グアニジン、および他のアミノ酸、例えばグリセリン、プロピレングリコール、ヘキシレングリコール、ヘキサントリオール、エトキシジグリコール、ジメチコンコポリオールおよびソルビトールのようなポリヒドロキシアルコールおよびこれらのエステル、ポリエチレングリコール、グリコール酸およびグリコール酸塩（例えば、アンモニウムおよび四級アルキルアンモニウム）、乳酸および乳酸塩（例えば、アンモニウムおよび四級アルキルアンモニウム）、糖類およびデンプン；糖類誘導体およびデンプン誘導体（例えば、アルコキシ化グルコース）；ｄｌ−パンテノールのようなパンテノール；ラクトアミドモノエタノールアミン；アセトアミドモノエタノールアミンなど、およびこれらの混合物が挙げられる。１つの実施形態において、湿潤剤としては、Ｃ３〜Ｃ６ジオールおよびトリオール、例えばグリセリン、プロピレングリコール、ヘキシレングリコール、ヘキサントリオールなど、およびこれらの混合物が挙げられる。このような適切な湿潤剤は、代表的に、液体石鹸組成物の全重量を基準として、本発明の１つの局面において約１重量％〜約２０重量％を構成し、他の局面において約２重量％〜約１０重量％を構成し、さらなる局面において約３重量％〜約５重量％を構成する。
【００４６】
（皮膚軟化剤）
本発明の脂肪酸液体石鹸組成物は、必要に応じて少なくとも１つの皮膚軟化剤を含む。適切な皮膚軟化剤としては、鉱油；野菜油；硬化野菜油、ステアリン酸；脂肪アルコール（例えば、セチルアルコール、セテアリールアルコール、ミリスチルアルコール、べへニルアルコール、およびラウリルアルコール）、アセチル化ラノリンアルコール中のセチルアセテート、ベンゾエートエステル（例えば、Ｃ１２〜Ｃ１５アルキルベンゾエート）、イソステアリルベンゾエート、ジカプリリルマレアート、ペトロラタム、ラノリン、ココバター、シアバター、蜜蝋およびそのエステル、エトキシ化脂肪アルコールエステル（例えば、セテアレス（ｃｅｔｅａｒｅｔｈ）−２０、オレス−５およびセテス（ｃｅｔｅｔｈ）−５）、アルコキシ化メチルグルコースエーテル（例えば、グルセス（ｇｌｕｃｅｔｈ）−２０）、アルコキシ化脂肪酸エステル（例えば、ポリエチレングリコール４００  プロポキシ化モノラウレート）、アボカド油またはグリセリド、ゴマ油またはグリセリド、ベニバナ油またはグリセリド、ヒマワリ油またはグリセリド、ならびに他の天然野菜油および植物油のモノグリセリド、ジグリセリドおよびトリグリセリド（例えば、カプリル酸トリグリセリド、カプリン酸トリグリセリド、カプリル酸／カプリン酸トリグリセリド、およびカプリル酸／カプリン酸／ラウリン酸トリグリセリド）、ゲルベ（Ｇｕｅｒｂｅｔ）エステル（例えば、Ｎｏｖｅｏｎ，Ｉｎｃ．より販売されるＧ−２０、Ｇ−３６、Ｇ−３８およびＧ−６６）、植物種子油、揮発性シリコーン油、不揮発性皮膚軟化剤など；ならびにこれらの混合物、が挙げられる。適切な不揮発性皮膚軟化剤としては、脂肪酸エステルおよび脂肪アルコールエステル、高次に分枝した炭化水素など、およびこれらの混合物が挙げられる。このような脂肪酸エステルおよび脂肪アルコールエステルとしては、デシルオレアート、ブチルステアレート、オクチルステアレート、ミリスチルミリテート、オクチルドデシルステアロイルステアレート、オクチルヒドロキシステアレート、ジ−イソプロピルアジペート、イソプロピルミリステート、イソプロピルパルミテート、エチルヘキシルパルミテート、イソデシルネオペンタノエート、Ｃ１２〜Ｃ１５アルコールベンゾエート、ジエチルヘキシルマレアート、ＰＰＧ−１４ブチルエーテルプロピオネートおよびＰＰＧ−２ミリスチルエーテルプロピオネート、セテアリールオクタノエートなど、およびこれらの混合物が挙げられる。適切な高次に分枝した炭化水素としては、イソヘキサデカンなど、およびこれらの混合物が挙げられる。皮膚軟化剤が単独で、または組み合わせて存在する場合、この皮膚軟化剤は、液体石鹸組成物の全重量を基準として、代表的に、１つの局面において約１重量％〜約１５重量％を構成し、他の局面において約２重量％〜約１０重量％を構成し、さらなる局面において約３重量％〜約５重量％を構成する。
【００４７】
（他の追加の構成要素）
本発明の脂肪酸液体石鹸組成物は、洗浄組成物をより所望のものにするために適切な、種々の他の従来の追加の構成要素を含み得る。このような追加の構成要素は、液体石鹸組成物の調合の当業者に周知である。これらとしては、例えば、１つ以上のアルカリ性ｐＨ調整剤および酸性ｐＨ調整剤、１つ以上の防腐剤、１つ以上の粘性調整剤、１つ以上の皮膚調整剤、１つ以上の抗菌物質、１つ以上の抗酸化剤、１つ以上の香料、１つ以上の着色剤、植物抽出物、および１つ以上の不溶性材料が挙げられる。
【００４８】
アルカリ性ｐＨ調整剤の非限定的な例としては、アルカリ金属水酸化物（例えば、水酸化ナトリウム、水酸化カリウム）；水酸化アンモニウム；有機塩基（例えば、トリエタノールアミン、ジイソプロピルアミン、ドデシルアミン、ジイソプロパノールアミン、アミノメチルプロパノール、コカミン（ｃｏｃａｍｉｎｅ）、オレアミン（ｏｌｅａｍｉｎｅ））、モルホリン、トリアミルアミン、トリエチルアミン、トロメタミン（２−アミノ−２−ヒドロキシメチル−１，３−プロパンジオール）、およびテトラキス（ヒドロキシプロピル）エチレンジアミン；および無機酸のアルカリ金属塩（例えば、ナトリウムボレート（ホウ砂）、ナトリウムホスフェート、ナトリウムピロホスフェート（ｐｙｒｏｐｈｏｓｐｈａｔｅ）など、およびこれらの混合物）が挙げられる。酸性ｐＨ調整剤は、アミノ酸を含む有機酸、および無機鉱酸であり得る。酸性ｐＨ調整剤の非限定的な例としては、酢酸、クエン酸、フマル酸、グルタミン酸、グリコール酸、塩酸、乳酸、硝酸、リン酸、重硫酸ナトリウム、硫酸、酒石酸など、およびこれらの混合物が挙げられる。前述のｐＨ調整剤は、液体石鹸組成物のｐＨを所望のｐＨ値および範囲に調整するのに利用され得る。
【００４９】
防腐剤が存在する場合、適切な防腐剤としては、ポリメトキシビサイクリックオキサゾリジン、メチルパラベン、プロピルパラベン、エチルパラベン、ブチルパラベン、安息香酸および安息香酸の塩（例えば、ナトリウムベンゾエート）、ベンジルトリアゾール、ＤＭＤＭヒダントイン（１，３−ジメチル−５，５−ジメチルヒダントインとしても公知）、イミダゾリジニル尿素、フェノキシエタノール、フェノキシエチルパラベン、メチルイソチアゾリノン、メチルクロロイソチアゾリノン、ベンゾイソチアゾリノン、トリクロサン、ソルビン酸、サリチル酸塩など、およびこれらの混合物が挙げられる。このような適切な防腐剤は、代表的に、本発明のパーソナルケア組成物の全重量の約０．０１重量％〜約１．５重量％を構成する。
【００５０】
粘性調節剤が存在する場合、適切な粘性調節剤は、有機化合物および無機化合物、ならびにこれらの組み合わせを含む。有機化合物の例としては、イソプロピルアルコール、エタノール、ソルビトール、プロピレングリコール、ジエチレングリコール、トリエチレングリコール、ジメチルエーテル、ブチレングリコールなど、およびこれらの混合物が挙げられる。無機化合物の例としては、塩化ナトリウム、硫酸ナトリウム、塩化カリウム、硝酸カリウムおよびこれらの混合物が挙げられる。このような適切な粘性調整剤は、代表的に、本発明の脂肪酸液体石鹸組成物の全重量の約０．１重量％〜約２０重量％を構成する。
【００５１】
皮膚調整ポリマーとしては、四級化の（ｑｕａｔｅｒｎｉｚｅｄ）ガーゴム、四級化のセルロース、ポリクオタニウム（ｐｏｌｙｑｕａｔｅｒｎｉｕｍ）４、ポリクオタニウム７、シリコーンクオタニウム８（アルキルアミドジメチルアミンと四級化したジメチコンコポリオール）、ポリクオタニウム１０、ポリクオタニウム１１、ポリクオタニウム３９、ポリクオタニウム４４など、およびこれらの混合物が挙げられる。皮膚調整剤が存在する場合、このような適切な皮膚調整剤は、代表的に、本発明の組成物の全重量の約０．０１重量％〜約３重量％を構成する。
【００５２】
適切なキレート剤としては、ＥＤＴＡ（エチレンジアミン四酢酸）およびその塩（例えば、ジナトリウムＥＤＴＡ）、クエン酸およびその塩、シクロデキストリンなど、およびこれらの混合物が挙げられる。キレート剤が存在する場合、このようなキレート剤は、代表的に液体石鹸組成物の全重量の約０．００１重量％〜約３重量％を構成する。
【００５３】
抗酸化剤が存在する場合、適切な抗酸化剤としては、ＢＨＡおよびＢＨＴが挙げられ、ならびに組成物の全重量の約０．０１重量％〜約１．５重量％のレベルで添加され得る。
【００５４】
不溶性材料としては、パール光沢性および他の審美性視覚効果、知覚効果および／または有益な効果を液体石鹸組成物に与える材料を含む。いくつかの調合物は、その中にパール光沢材料を故意に組み込むことによって、化粧品として魅力的な真珠のような外観（パール光沢（ｐｅａｒｌｅｓｃｅｎｃｅ）として公知）を達成するために不透明化される。当業者は、パール光沢調合物の一貫した調製による調合物が直面する問題に気づいている。詳しい議論は、論文「Ｏｐａｃｉｆｉｅｒｓ  ａｎｄ  ｐｅａｒｌｉｎｇ  ａｇｅｎｔｓ  ｉｎ  ｓｈａｍｐｏｏｓ」ｂｙ  Ｈｕｎｔｉｎｇ，Ｃｏｓｍｅｔｉｃ  ａｎｄ  Ｔｏｉｌｅｔｒｉｅｓ，Ｖｏｌ．９６，ページ６５〜７８（１９８１年７月）に見出され、この論文を本明細書中で参考として援用する。
【００５５】
パール光沢材料としては、二酸化チタンコートされた雲母、酸化鉄コートされた雲母、エチレングリコールモノ−ステアレート、エチレングリコールジステアレート、ポリエチレングリコールジステアレート、ビスマスオキシクロリドコートされた雲母、ミリスチルミリステート、グアニン、グリッター（ポリエステルまたは金属の）およびこれらの混合物が挙げられる。他のパール光沢材料は、米国特許第４，６５４，２０７号および同第５，０１９，３７６号中に見出され得、これらの本明細書中で参考として援用する。
【００５６】
改善されたまたは増強されたパール光沢外観は、本発明の組成物を酸戻し調合する際に観察されている。そのうえ、この調合技術は、パール光沢材料の堆積または沈殿を防ぎ、従ってこのパール光沢外観の「光沢を消す（ｆｌａｔｔｅｎ  ｏｕｔ）」ことをかなり減少させる。さらに、ポリマーレオロジー改変剤は、パール光沢粒子またはプレートリットを、最高のパール光沢外観のためにその最適配置で保持するように働く、と考えられている。
【００５７】
パール光沢材料の量は、組成物の全重量を基準にして、約０．０５重量％〜約１０重量％、および望ましくは、約０．１５重量％〜約３重量％の量で、一般的に使用され得る。
【００５８】
上記のほぼ不溶性の化合物に加えて、非常に多くの他の追加の実質的に不溶性の安定化が必要な化合物が、組成物に利用され得る。このような他の不溶性の化合物の例としては、二酸化チタン；軽石；炭酸カルシウム、タルク、じゃがいもデンプン、タピオカデンプン、ホホバビーズ、ポリエチレンビーズ、くるみ殻、へちま、アプリコット種子；アーモンド粉、とうもろこし粉、パラフィン、麦ぬか／麦殻、ゼラチンビーズ、アルギナートビーズ、ステンレス鋼ファイバー、酸化鉄顔料、気泡（ａｉｒ  ｂｕｂｂｌｅ）、酸化鉄コートされた雲母、カオリンクレイ、サリチル酸、ゼオライト、スチロフォームビーズ（ｓｔｙｒｏｆｏａｍ  ｂｅａｄ）、ホスフェート、シリカなど、が挙げられる。他のほぼ不溶性の化合物としては、チャノキ粉、マイクロスポンジ、Ｃｏｎｆｅｔｔｉ（ｕｎｉｔｅｄ  ｇｕａｒｄｉａｎ  ｃｏｍｐａｎｙの商品名）、タルク、蜜蝋など、が挙げられる。安定化が必要な種々の不溶性の化合物の量は、その目的、所望される最終結果およびそれらの効力に依存して変化し得る。したがって、量は幅広く変化し得るが、しばしば石鹸組成物の全重量を基準として、約０．１重量％〜約２０重量％の一般的な範囲内にある。
【００５９】
水（しばしば脱イオン化されている）のような希釈剤が使用され得、ならびに代表的に、１つの局面において、脂肪酸石鹸組成物の全重量の、約５重量％〜約９５重量％を構成し、他の局面において、約１０重量％〜約７５重量％を構成し、さらなる局面において、約１５重量％〜約５０重量％を構成する。
【００６０】
以下の実施例は、本明細書中に開示される本発明をより詳しく説明する目的のために示される。しかし、これらの実施例は、いかなる様式においても本発明を限定するように解釈されない。割愛された調合物は例示の様式で記載され、そして他の液体石鹸組成物およびそれらの調合物は、本発明の範囲内にあることが理解される。他の方法で明記されない場合、すべての成分の量は、組成物の重量を基準として重量％として与えられる。
【００６１】
（方法の詳細）
（粘度）
それぞれのポリマー含有組成物の報告された粘度は、Ｂｒｏｏｋｆｉｅｌｄ回転スピンドル粘度計（Ｂｒｏｏｋｆｉｅｌｄ，Ｍｏｄｅｌ  ＲＶＴ）を使用して、約２０毎分回転数（ｒｐｍ）で、約２０〜２５℃の周囲室温で、ミリパスカル秒（ｍＰａ・ｓ）で測定された（これ以降、Ｂｒｏｏｋｆｉｅｌｄ粘度として言及する）。粘度は、新たに調製された組成物で測定され（「初期粘度」として言及される）、そして組成物を少なくとも約２４時間周囲室温で放置した後に再測定された（「２４時間後粘度」として言及される）。１つの粘性値のみ示されている場合、他に述べられない限り、この粘性値は２４時間後粘度である。
【００６２】
（降伏値）
降伏値は、降伏応力としても言及されるが、応力下での流れに対する初期の抵抗として本明細書中で定義される。降伏値は、多くの技術を使用して（例えば、一定応力レオメーターを使用して、またはＢｒｏｏｋｆｉｅｌｄ粘度計を用いた外挿によって）、測定され得る。これらの技術および降伏値測定の有用性はさらに、Ｔｅｃｈｎｉｃａｌ  Ｄａｔａ  Ｓｈｅｅｔ  Ｎｕｍｂｅｒ  ２４４（Ｎｏｖｅｏｎ，Ｉｎｃ．より入手可能）により説明され、これを本明細書中で参考として援用する。
【００６３】
（安定性）
本発明の、実質的に架橋したアルカリ膨張可能なアクリレートコポリマーレオロジー改変剤を用いて作製された、種々の液体石鹸組成物は安定である。特定の組成物の安定性に対する要件は、最終的な市場での用途ならびにその組成物が売買される土地によって変化する。受容される「貯蔵寿命」は、後にそれぞれの組成物において決定される。これは、組成物が通常の貯蔵状況および扱われる状況において安定であるべき時間量に言及し、組成物が製造されるときと最終的に消費者に販売されるときとの間が測定される。
【００６４】
１年を超える安定性研究を実施する必要性を除外するために、組成物の貯蔵寿命を予測するための安定性試験はストレスのある条件で実施される。代表的に、加速試験は静的な昇温条件で、通常は４５〜５０℃で実施される。組成物は、少なくとも２週間、望ましくは１ヶ月、好ましくは２または３ヶ月、最も好ましくは４または５ヶ月、４５℃で安定であるべきである。さらに、冷凍−解凍循環がしばしば実施され、ここで組成物は冷凍温度、通常０℃と周囲温度、通常２０〜２５℃との間を循環させられる。組成物は、最低で１回の冷凍−解凍サイクルを通るべきであり、好ましくは３サイクル、および最も好ましくは５サイクルを通るべきである。
【００６５】
本発明に従って作製される製品または組成物は、以下の基準を１つ以上満たす場合は、安定であると考えられる：
１．組成物において、相分離がなく、いかなる材料の沈澱またはクリーミングがない。この組成物は、その塊を通して完全に均一性を保持すべきである。本明細書中で、分離は、調合物中で任意の構成要素の２つ以上の別個の層または相が視覚的に存在することと定義され、ここで構成要素としては、以下に限定されないが、不溶性物質、可溶性物質、油性物質などが挙げられる。
【００６６】
２．組成物の粘度が、期間を通して大幅に、一般的には５０％以上、好ましくは３５％以上、および最も好ましくは２０％以上、増加または減少しない。
【００６７】
３．組成物のｐＨが、２ｐＨ単位より多く、好ましくは１ｐＨ単位より多く、および最も好ましくは０．５ｐＨ単位より多く、増加または減少しない。
【００６８】
４．組成物のレオロジーおよびテクスチャが、受容できなくなるまでの期間を通して大幅に変化しない。
【００６９】
本明細書に従い作製された製品および組成物は、上記に列挙された基準を１つ以上満たさない場合、不安定であると考えられる。
【実施例】
【００７０】
（実施例１）
液体石鹸組成物は、以下の処方を利用した酸戻し調合技術によって調製される。
【００７１】
【化１】
0005490418.tif 000002
１  アクリレートコポリマーエマルジョン（３０％活性）（Ｎｏｖｅｏｎ，Ｉｎｃ．）（アクリル酸および／またはメタクリル酸とアクリル酸のＣ１〜Ｃ５アルキルエステルとの架橋したコポリマー）
２  メチルイソチアゾリノン（Ｒｏｈｍ  ａｎｄ  Ｈａａｓ）。
【００７２】
要素Ａを、脱イオン水に水酸化カリウムを溶解して、ならびにこの組成物を８０℃に加熱することで調製する。要素Ｂを、グリセリンとレオロジー改変剤とを撹拌しながら脱イオン（Ｄ．Ｉ．）水に加えることで、別個に調製する。上記脂肪酸（成分番号３、４および５）を上記グリセリン／レオロジー改変剤／水の混合物に撹拌しながら加え、そして温度を８０℃に上げる。脂肪酸が溶解し、均一に混合したら、他の要素Ｂの成分をこの組成物に加える。温度を８０℃に保持しながら、要素Ａを要素Ｂに加える。要素ＡＢ組成物を３０〜６０分撹拌する。均一な混合物が得られたら、この要素ＡＢ組成物を周囲室温まで冷ます。４０℃まで冷まして、成分番号９をこの要素ＡＢに加える。この調合物を撹拌しながら周囲室温まで冷ます。粘度および降伏値を調合物の初期ｐＨで測定する。続いて、このｐＨをクエン酸による酸戻し処理によって下げる。続いて液体石鹸組成物のｐＨ値を下げた後の粘度および降伏値を以下の表に報告する。
【００７３】
【表１】
0005490418.tif 000003
（実施例２）
液体石鹸／界面活性剤ブレンド組成物を、以下の処方を利用して、酸戻し調合技術により調製する。
【００７４】
【化２】
0005490418.tif 000004
１  アクリレートコポリマーエマルジョン（３０％活性）（Ｎｏｖｅｏｎ，Ｉｎｃ．）
２  メチルイソチアゾリノン（Ｒｏｈｍ  ａｎｄ  Ｈａａｓ）。
【００７５】
要素Ａを、脱イオン水に水酸化カリウムを溶解して、ならびに８０℃に加熱することで調製する。要素Ｂの成分を撹拌しながら溶解するまでゆっくり加熱し、そしてさらに温度が８０℃に達するまで加熱する。成分ＡおよびＢを撹拌しながら混合する。要素Ｃを８０℃を維持する混合した要素ＡＢ組成物に加え、溶解するまで撹拌する。混合された要素ＡＢＣ組成物を周囲室温まで冷まし、要素ＤおよびＥの成分を撹拌しながら番号順に加える。液体石鹸組成物の粘度を１０ｇ塩化ナトリウムを加えて調整する。組成物の初期ｐＨ、粘度および降伏値を測定する。初期ｐＨにおける粘度および降伏値を測定した後、続いて水酸化カリウム（８５％溶液）によってｐＨをｐＨ９．５まで上げて、さらにクエン酸（２５％溶液）による酸戻し技術によってｐＨ８．６まで下げる。液体石鹸組成物の初期の粘度および降伏値、ならびに続くｐＨの上げ下げ後の粘度および降伏値を以下の表に報告する。
【００７６】
【表２】
0005490418.tif 000005
（実施例３〜６）
液体石鹸組成物を、酸戻し調合技術を利用して、以下に記載の成分より調合する。
【００７７】
【化３】
0005490418.tif 000006
１  アクリレートコポリマーエマルジョン（３０％活性）（Ｎｏｖｅｏｎ，Ｉｎｃ．）
２  メチルイソチアゾリノン（Ｒｏｈｍ  ａｎｄ  Ｈａａｓ）。
【００７８】
要素Ａを、脱イオン水に水酸化カリウムを溶解し、８０℃に加熱して調製する。要素Ｂの成分を撹拌しながら溶解するまでゆっくり加熱し、さらに温度が８０℃に達するまで加熱する。要素Ａを要素Ｂと混合し、３０〜６０分撹拌する。混合物の温度を８０℃に維持する。均一な混合物が得られたら、この要素ＡＢ組成物をゆっくり冷ます。要素Ｃを、レオロジー改変剤とグリセリンをＤ．Ｉ水に撹拌しながら加えて、別個に調合する。要素ＡＢ組成物が６０〜７０℃の間の範囲の温度に達すると、要素Ｃをそれに加え、撹拌する。要素Ｄの成分を次に要素ＡＢＣ組成物に番号順に加える。組成物の初期ｐＨ、粘度および降伏値を測定する。それぞれの調合物のｐＨを、一度水酸化カリウム（８５％溶液）で上げ、次に一度クエン酸（２５％溶液）による酸戻し技術によって下げる。それぞれのｐＨ値での粘度および降伏値データを以下の表に記載する。
【００７９】
【表３】
0005490418.tif 000007
（実施例７）
液体石鹸組成物を、酸戻し調合技術を利用して、以下に記載の成分より調合する。
【００８０】
【化４】
0005490418.tif 000008
１  アクリレートコポリマーエマルジョン（３０％活性）（Ｎｏｖｅｏｎ，Ｉｎｃ．）
２  メチルイソチアゾリノン（Ｒｏｈｍ  ａｎｄ  Ｈａａｓ）。
【００８１】
要素Ａを、脱イオン水に水酸化カリウムを溶解し、８０℃に加熱して調製する。要素Ｂの成分を撹拌しながら溶解するまでゆっくり加熱し、さらに温度が８０℃に達するまで加熱する。要素Ａを要素Ｂと混合し、３０〜６０分撹拌する。混合物の温度を８０℃に維持する。均一な混合物が得られたら、この要素ＡＢ組成物をゆっくり冷ます。要素ＡＢ組成物が６０〜７０℃の間の範囲の温度に達したら、成分番号９を加え、均一になるまで撹拌する。成分番号１０および１１を順番に加え、混合する。組成物が４０℃に達したら、成分番号１２〜１５を番号順に組成物に加え、撹拌する。この組成物をクエン酸による酸戻し処理をして液体石鹸製品を得る。
【００８２】
（性質）
外観：  パール光沢のある粘性液体
ｐＨ：  ８．８０〜９．００
粘度（ｍＰａ・ｓ）：  ５０００〜８０００
安定性：  ４５℃で２ヶ月経過
５冷凍／解凍サイクル通過